(57)【特許請求の範囲】
【請求項１】
第１の記録媒体を駆動する第１の記録媒体駆動装置、又は前記第１の記録媒体又は第２の記録媒体を駆動する第２の記録媒体駆動装置が収納されているパーソナルコンピュータの記録媒体駆動装置収納構造であって、
前記第１の記録媒体駆動装置を挿入するための第１の挿入方向と、該第１の挿入方向と直交し、前記第２の記録媒体駆動装置を挿入するための第２の挿入方向があって、
前記第１の挿入方向から奥へ延びる第１の溝型レールと前記第２の挿入方向から奥へ延びる第２の溝型レールとからなるクロスレールと、
前記第１の記録媒体駆動装置又は前記第２の記録媒体駆動装置を溝に嵌め込んで保持する両足付きの溝型保持手段とを備え、
該記録媒体駆動装置保持手段の両足を、第１の溝型レール又は第２の溝型レールに嵌め込んで取着することで、前記第１の記録媒体駆動装置又は前記第２の記録媒体駆動装置がパーソナルコンピュータ本体に収納される構成になされていることを特徴とするパーソナルコンピュータの記録媒体駆動装置収納構造。
【請求項２】
前記溝型保持手段が、前記第１の記録媒体駆動装置及び前記第２の記録媒体駆動装置のいずれにも共通に使用できるものであることを特徴とする請求項１記載の記録媒体駆動装置収納構造。
【請求項３】
該記録媒体駆動装置保持手段の両足幅が、第１の溝型レール又は第２の溝型レールのレール幅より狭幅に設定されていることを特徴とする請求項１記載の記録媒体駆動装置収納構造。
【請求項４】
前記第１の溝型レール又は第２の溝型レールは、前記溝型保持手段が収納されやすいように、レール間口を広くして構成されていることを特徴とする請求項１又は３記載の記録媒体駆動装置収納構造。
【請求項５】
前記第１の記録媒体駆動装置又は前記第２の記録媒体駆動装置が前記パーソナルコンピュータ本体に収納される態様では、直角に折り曲げられた部分を持つフラットケーブルを介して、前記パーソナルコンピュータ本体と前記第１の記録媒体駆動装置又は前記第２の記録媒体駆動装置とが電気接続されることを特徴とする請求項１記載のパーソナルコンピュータの記録媒体駆動装置収納構造。
【請求項６】
第１の記録媒体駆動装置が、フロッピー（登録商標）ディスク駆動装置、ハードディスク駆動装置、ＣＤ−ＲＯＭ駆動装置、ＣＤ−ＲＷ駆動装置又はＤＶＤ駆動装置である一方、前記第２の記録媒体駆動装置が、ハードディスク駆動装置、フロッピーディスク駆動装置、ＣＤ−ＲＯＭ駆動装置、ＣＤ−ＲＷ駆動装置又はＤＶＤ駆動装置であることを特徴とする請求項１又は５記載のパーソナルコンピュータの記録媒体駆動装置収納構造。
【発明の詳細な説明】
【０００１】
【発明の属する技術分野】
この発明は、パーソナルコンピュータの記録媒体駆動装置収納構造に関する。
【０００２】
【従来の技術】
従来、パーソナルコンピュータ本体にフロッピーディスク（以下、ＦＤという），ハードディスク（以下、ＨＤという）等の記録媒体を収納する際、ＦＤ，ＨＤ等を駆動するフロッピーディスクドライブ（以下、ＦＤＤという），ハードディスクドライブ（以下、ＨＤＤという）等を専用のフロッピーディスクドライブブラケット（以下、ＦＤＤブラケットという），ハードディスクドライブブラケット（以下、ＨＤＤブラケットという）等を専用の挿入口に挿入して専用のレールに沿って別々に収納していた。また、専用の挿入口及び専用のレールが同じで、例えば、ＦＤＤを収納していた場所に、ＦＤＤの代わりにＨＤＤを収納できる場合であっても、挿入口及びレールが一つであるので、ＦＤＤブラケットを取り出した経路と同じ経路からＨＤＤブラケットを挿入していた。従って、ＦＤＤの長手方向から取り出した場合、ＨＤＤの長手方向から収納していた、
【０００３】
図１１は、上述した従来の記録媒体収納構造の構成を示す斜視図である。
この従来例の記録媒体収納構造は、ＣＤ−ＲＯＭドライブ７上に設けられた単一のレール３０と、ＦＤＤ２を保持するＦＤＤブラケット２０とを備えている。単一レール３０は、同図に示すように、ＦＤＤブラケット２０の収納方向に敷かれたレールであり、この方向からＦＤＤブラケットを出し入れし、この方向と直角な方向からは収納できない構造になっている。従って、例えば、ＦＤＤ２の代わりにＨＤＤ３を収納する場合には、ＦＤＤ２の長手方向からＦＤＤを取り出し、ＦＤＤ２を取り出した際の出口をまた、ＨＤＤ３の入口としてＨＤＤ３を長手方向から挿入していた。
【０００４】
【発明が解決しようとする課題】
しかしながら、上述した従来例の構成では、パーソナルコンピュータ本体に記録媒体を内蔵する際、記録媒体の設置位置が非常に制限された位置となり、ＦＤＤのアクセス方向が、例えば、フロントアクセス又はサイドアクセスのいずれか一方のみとなり、使用勝手が非常に制限されたものとなっている。また、設置位置が制限されているため、情報機器端末内の空気の流れを記録媒体のケーブルによって遮断する場合もある。従って、使用者の使用目的，使用環境等を制限するという問題があった。
【０００５】
この発明は、上述した事情を鑑みてなされたもので、記録媒体を入れ替え可能かつ収納方向に自由度を有するパーソナルコンピュータの記録媒体駆動装置収納構造を提供することを目的としている。
【０００６】
【課題を解決するための手段】
上記課題を解決するために、請求項１記載の発明は、第１の記録媒体を駆動する第１の記録媒体駆動装置、又は前記第１の記録媒体又は第２の記録媒体を駆動する第２の記録媒体駆動装置が収納されているパーソナルコンピュータの記録媒体駆動装置収納構造に係り、前記第１の記録媒体駆動装置を挿入するための第１の挿入方向と、該第１の挿入方向と直交し、前記第２の記録媒体駆動装置を挿入するための第２の挿入方向があって、前記第１の挿入方向から奥へ延びる第１の溝型レールと前記第２の挿入方向から奥へ延びる第２の溝型レールとからなるクロスレールと、前記第１の記録媒体駆動装置又は前記第２の記録媒体駆動装置を溝に嵌め込んで保持する両足付きの溝型保持手段とを備え、該記録媒体駆動装置保持手段の両足を、第１の溝型レール又は第２の溝型レールに嵌め込んで取着することで、前記第１の記録媒体駆動装置又は前記第２の記録媒体駆動装置がパーソナルコンピュータ本体に収納される構成になされていることを特徴としている。
【０００７】
また、請求項２記載の発明は、請求項１記載の記録媒体駆動装置収納構造に係り、前記溝型保持手段が、前記第１の記録媒体駆動装置及び前記第２の記録媒体駆動装置のいずれにも共通に使用できるものであることを特徴としている。
【０００８】
また、請求項３記載の発明は、請求項１記載の記録媒体駆動装置収納構造に係り、該記録媒体駆動装置保持手段の両足幅が、第１の溝型レール又は第２の溝型レールのレール幅より狭幅に設定されていることを特徴としている。
【０００９】
また、請求項４記載の発明は、請求項１又は３記載の記録媒体駆動装置収納構造に係り、前記第１の溝型レール又は第２の溝型レールは、前記溝型保持手段が収納されやすいように、レール間口を広くして構成されていることを特徴としている。
【００１０】
また、請求項５記載の発明は、請求項１記載の記録媒体駆動装置収納構造に係り、前記第１の記録媒体駆動装置又は前記第２の記録媒体駆動装置が前記パーソナルコンピュータ本体に収納される態様では、直角に折り曲げられた部分を持つフラットケーブルを介して、前記パーソナルコンピュータ本体と前記第１の記録媒体駆動装置又は前記第２の記録媒体駆動装置とが電気接続されることを特徴としている。
【００１１】
また、請求項６記載の発明は、請求項１又は５記載の記録媒体駆動装置収納構造に係り、第１の記録媒体駆動装置が、フロッピーディスク駆動装置、ハードディスク駆動装置、ＣＤ−ＲＯＭ駆動装置、ＣＤ−ＲＷ駆動装置又はＤＶＤ駆動装置である一方、前記第２の記録媒体駆動装置が、ハードディスク駆動装置、フロッピーディスク駆動装置、ＣＤ−ＲＯＭ駆動装置、ＣＤ−ＲＷ駆動装置又はＤＶＤ駆動装置であることを特徴としている。
【００３２】
【発明の実施の形態】
以下、図面を参照してこの発明の実施の形態について詳細に説明する。説明は実施例を用いて具体的に説明する。
◇第１実施例
まず、図１乃至図６を参照して、この発明の第１実施例について詳細に説明する。
図１は、この発明の第１実施例である記録媒体駆動装置収納構造の構成を示す斜視図であり、図２は、クロスレールの詳細構成を示す平面図である。
この例の収納構造は、図１に示すように、パーソナルコンピュータ本体のシャーシ５と、シャーシ５上にその足を固定され、シャーシ５との間に所定のスペースを置いて配置されている第１の架台８と、第１の架台８上に設けられているクロスレール１と、シャーシ５上にその足を固定され、クロスレール１上にフロッピーディスクドライブ（以下、ＦＤＤという）２又はハードディスクドライブ（以下、ＨＤＤという）３を収納するためのスペース（記録媒体駆動装置収納部）を置いて配置されている第２の架台９と、ＦＤＤ２及びＨＤＤ３をそれぞれ保持する保持手段であるフロッピーディスクドライブ／ハードディスクドライブ共通ブラケット（以下、ＦＤＤ／ＨＤＤ共通ブラケットという）４とを備える。
【００３３】
次に、この例の収納構造の各部の詳細構成について説明する。
第１の架台８は、一枚の平板を折り曲げてＬ字形に形成され、シャーシ５に固定されている。第１の架台８とシャーシ５との間の所定のスペースには、内蔵ハードディスクドライブ（以下、内蔵ＨＤＤという）６が収納され、かつ、第１の架台６上にはクロスレール１が設けられている。クロスレール１上でＦＤＤ／ＨＤＤ共通ブラケット４に保持されているＦＤＤ２又はＨＤＤ３を交換可能に収納する。
【００３４】
クロスレール１は、同一面上で互いに直交配置されている第１及び第２のレールを有し、第１のレールは、ＦＤＤ２を保持しているＦＤＤ／ＨＤＤ共通ブラケット４を走行させ、第２のレールは、ＨＤＤ３を保持しているＦＤＤ／ＨＤＤ共通ブラケット４を走行させている。すなわち、ＦＤＤ２をフロントアクセスで使用することができる。また、上記第１のレールにＨＤＤ３を保持しているＦＤＤ／ＨＤＤ共通ブラケット４を、上記第２のレールにＦＤＤ２を保持しているＦＤＤ／ＨＤＤ共通ブラケット４を走行させると、ＦＤＤ２をサイドアクセスで使用することができる。
【００３５】
第２の架台９は、第１の架台８と同様に、一枚の平板を折り曲げてＬ字形に形成され、第１の架台８との間にＦＤＤ２又はＨＤＤ３を保持しているＦＤＤ／ＨＤＤ共通ブラケット４を収納し、かつ、第２の架台９上には、ＣＤ−ＲＯＭを駆動するＣＤ−ＲＯＭドライブ７が配置されている。また、ＣＤ−ＲＯＭドライブ７上にはフラットケーブル（図示せず）が配置されている。
【００３６】
次に、図２を参照して、この発明の第１実施例である記録媒体駆動装置収納構造のクロスレールの詳細構成について説明する。  この例のクロスレール１は、同図に示すように、ＦＤＤ２又はＨＤＤ３を保持しているＦＤＤ／ＨＤＤ共通ブラケット４を走行させるレール１ａと、ＦＤＤ／ＨＤＤ共通ブラケット４の足がレール１ａからはずれないようにするガードレール１ｂと、ＦＤＤ／ＨＤＤ共通ブラケット４を収納しやすいようにレールの端部を広くして形成されている間口１ｃとから構成されている。
【００３７】
次に、図３及び図４を参照して、この発明の第１実施例である記録媒体駆動装置収納構造の収納時の動作について説明する。
図３は、この発明の第１実施例である記録媒体駆動装置収納構造のクロスレールとＦＤＤ／ＨＤＤ共通ブラケットとの位置関係を示す概略図であり、図４（ａ）は図３のＡ方向から見た矢視図であり、図４（ｂ）は図３のＢ方向から見た矢視図である。
図３に示すように、この例のクロスレール１は、レール１ａが直角に交差しており、ＦＤＤ２を保持しているＦＤＤ／ＨＤＤ共通ブラケット４を収納する場合には、図のＡ方向から収納し、ＦＤＤ２の代わりにＨＤＤ３を保持しているＦＤＤ／ＨＤＤ共通ブラケット４を収納する場合には、図のＢ方向から収納する。
【００３８】
また、図４（ａ）に示すように、この例のクロスレール１は、ＦＤＤ２を収納する場合には、ＦＤＤ２を保持しているＦＤＤ／ＨＤＤ共通ブラケット４の足４ａをクロスレール１のガードレール１ｂの間に入れ、クロスレール１のレール１ａ上を走行させて収納する。
また、図４（ｂ）に示すように、ＨＤＤ３を収納する場合には、ＨＤＤ３を保持しているＦＤＤ／ＨＤＤ共通ブラケット４の足４ａをクロスレール１のガードレール１ｂの間に入れ、クロスレール１のレール１ａ上を走行させて収納する。
【００３９】
次に、図５及び図６を参照して、この発明の第１実施例である記録媒体駆動装置収納構造のドライブ収納後のフラットケーブルの位置関係について説明する。
図５に示すように、内蔵ＨＤＤ６とＣＤ−ＲＯＭドライブ７との間にＦＤＤ２を収納する場合、クロスレール１上にＦＤＤ２を保持しているＦＤＤ／ＨＤＤ共通ブラケット４を収納するが、収納後のフラットケーブル１０の位置は、直角に折り曲げられてＦＤＤ２のＦＤ挿入口と対向する端部に接続されている。
【００４０】
また、図６に示すように、内蔵ＨＤＤ６とＣＤ−ＲＯＭドライブ７との間にＨＤＤ３を配置する場合、クロスレール１上にＨＤＤ３を保持しているＦＤＤ／ＨＤＤ共通ブラケット４を収納するが、収納後のフラットケーブル１０の位置は、上述したＦＤＤ２を配置する場合と異なり、直線状にＣＤ−ＲＯＭドライブの上を横切ってＨＤＤ３及び内蔵ＨＤＤ６の端部に接続されている。
【００４１】
◇第２実施例
次に、図７乃至図９を参照して、この発明の第２実施例について詳細に説明する。
図７は、この発明の第２実施例である記録媒体駆動装置収納構造の構成を示す斜視図である。
この例の収納構造は、同図に示すように、パーソナルコンピュータ本体のシャーシ５と、シャーシ５上にその足を固定され、シャーシ５との間に所定のスペースを置いて配置されている第１の架台８と、第１の架台８との間に所定のスペースを置いて配置されている第２の架台９と、第２の架台９上に設けられているクロスレール１と、クロスレール１上にＦＤＤ２又はＨＤＤ３を収納するためのスペース（記録媒体駆動装置収納部）と、ＦＤＤ２又はＨＤＤ３を保持するＦＤＤ／ＨＤＤ共通ブラケット４とを備える。
【００４２】
次に、この例の収納構造の各部の詳細構成について説明する。
第１の架台８は、その下のシャーシ５との間の所定のスペースに内蔵ＨＤＤ６を収納し、かつ、その上にＣＤ−ＲＯＭドライブ７が配置されている。
第２の架台９は、第１の架台８との間にＣＤ−ＲＯＭドライブ７を収納し、その上にクロスレール１が設けられ、クロスレール１上でＦＤＤ／ＨＤＤ共通ブラケット４に保持されているＦＤＤ２又はＨＤＤ３を交換可能に収納する。また、ＦＤＤ２又はＨＤＤ３上にはフラットケーブル（図示せず）が配置されている。
【００４３】
クロスレール１は、同一面上で互いに直交配置されている第１及び第２のレールを有し、第１のレールは、ＦＤＤ２を保持しているＦＤＤ／ＨＤＤ共通ブラケット４を走行させ、第２のレールは、ＨＤＤ３を保持しているＦＤＤ／ＨＤＤ共通ブラケット４を走行させている。すなわち、ＦＤＤ２をフロントアクセスで使用することができる。また、上記第１のレールにＨＤＤ３を保持しているＦＤＤ／ＨＤＤ共通ブラケット４を、上記第２のレールにＦＤＤ２を保持しているＦＤＤ／ＨＤＤ共通ブラケット４を走行させると、ＦＤＤ２をサイドアクセスで使用することができる。
【００４４】
なお、この例のクロスレールの詳細構成については、図２に示した第１実施例のクロスレールと同様であるので省略する。また、この例の収納構造の収納時の動作についても、図３及び図４に示した第１実施例と同様であるので省略する。
【００４５】
次に、図８及び図９を参照して、この発明の第２実施例である記録媒体駆動装置収納構造のドライブ収納後のフラットケーブルの位置関係について説明する。
図８に示すように、内蔵ＨＤＤ６及びＣＤ−ＲＯＭドライブ７上にＦＤＤ２を配置する場合、クロスレール１上にＦＤＤ２を保持しているＦＤＤ／ＨＤＤ共通ブラケット４を収納するが、収納後のフラットケーブル１０の位置は、直角に折り曲げられてＦＤＤのＦＤ挿入口と対向する端部に接続されている。
【００４６】
また、図９に示すように、内蔵ＨＤＤ６及びＣＤ−ＲＯＭドライブ７上にＨＤＤ３を配置する場合、クロスレール１上にＨＤＤ３を保持しているＦＤＤ／ＨＤＤ共通ブラケット４を収納するが、収納後のフラットケーブル１０の位置は、上述したＦＤＤ２を配置する場合と異なり、直線状にＨＤＤ３上を横切ってＨＤＤ３及び内蔵ＨＤＤ６の端部に接続されている。
【００４７】
◇第３実施例
次に、図１０を参照して、この発明の第３実施例について詳細に説明する。
図１０は、この発明の第３実施例である記録媒体駆動装置収納構造の構成を示す斜視図である。
この例の収納構造は、同図に示すように、パーソナルコンピュータ本体のシャーシ５と、シャーシ５上にその足を固定され、シャーシ５との間に所定のスペースを置いて配置されている第１の架台８と、シャーシ５上にその足を固定され、第１の架台８との間に所定のスペースを置いて配置されている第２の架台９と、第２の架台９上に設けられている第１のクロスレール１１と、第１のクロスレール１１との間にＦＤＤ２又はＨＤＤ３を収納するためのスペース（第１の記録媒体駆動装置収納部）を置いて設けられている第２のクロスレール１２と、第２のクロスレール１２上にＦＤＤ２又はＨＤＤ３を収納するためのスペース（第２の記録媒体駆動装置収納部）と、ＦＤＤ２又はＨＤＤ３を保持するＦＤＤ／ＨＤＤ共通ブラケット４とを備える。
【００４８】
次に、この例の収納構造の各部の詳細構成について説明する。
第１の架台８は、その下のシャーシ５との間の所定のスペースに内蔵ＨＤＤ６を収納し、かつ、その上にＣＤ−ＲＯＭドライブ７が配置されている。
第２の架台９は、第１の架台８との間にＣＤ−ＲＯＭドライブ７を収納し、その上に第１のクロスレール１１が設けられ、第１のクロスレール１１上の第１の記録媒体駆動装置収納部にＦＤＤ／ＨＤＤ共通ブラケット４に保持されているＦＤＤ２又はＨＤＤ３を交換可能に収納する。また、第１の記録媒体駆動装置収納部上に第２のクロスレール１２が設けられ、第２のクロスレール上の第２の記録媒体駆動装置収納部にもＦＤＤ／ＨＤＤ共通ブラケット４に保持されているＦＤＤ２又はＨＤＤ３を交換可能に収納する。ＦＤＤ２又はＨＤＤ３上にはフラットケーブル（図示せず）が配置されている。
【００４９】
第１のクロスレール１１は、同一面上で互いに直交配置されている第１及び第２のレールを有し、第１のレールは、ＦＤＤ２を保持しているＦＤＤ／ＨＤＤ共通ブラケット４を走行させ、第２のレールは、ＨＤＤ３を保持しているＦＤＤ／ＨＤＤ共通ブラケット４を走行させている。すなわち、ＦＤＤ２をフロントアクセスで使用することができる。また、上記第１のレールにＨＤＤ３を保持しているＦＤＤ／ＨＤＤ共通ブラケット４を、上記第２のレールにＦＤＤ２を保持しているＦＤＤ／ＨＤＤ共通ブラケット４を走行させると、ＦＤＤ２をサイドアクセスで使用することができる。
第２のクロスレール１２も、同一面上で互いに直交配置されている第１及び第２のレールを有し、第１のレールは、ＦＤＤ２を保持しているＦＤＤ／ＨＤＤ共通ブラケット４を走行させ、第２のレールは、ＨＤＤ３を保持しているＦＤＤ／ＨＤＤ共通ブラケット４を走行させている。すなわち、ＦＤＤ２をフロントアクセスで使用することができる。また、上記第１のレールにＨＤＤ３を保持しているＦＤＤ／ＨＤＤ共通ブラケット４を、上記第２のレールにＦＤＤ２を保持しているＦＤＤ／ＨＤＤ共通ブラケット４を走行させると、ＦＤＤ２をサイドアクセスで使用することができる。
【００５０】
なお、この例の第１及び第２のクロスレール１１，１２の詳細構成については、図２に示した第１実施例のクロスレールと同様であるので省略する。また、この例の収納構造の収納時の動作についても、図３及び図４に示した第１実施例と同様であるので省略する。
【００５１】
以上、この発明の実施例を図面を参照して詳述してきたが、具体的な構成はこの実施例に限られるものではなく、この発明の要旨を逸脱しない範囲の設計の変更などがあってもこの発明に含まれる。
例えば、上述の実施例においては、内蔵ＨＤＤ６とＣＤ−ＲＯＭドライブ７との間にクロスレール１を配置する例、及びＣＤ−ＲＯＭドライブ７の上に配置する例を示したが、これに限定されず、クロスレール１をドライブ間のどこにでも配置することもできる。
【００５２】
また、上述の実施例においては、内蔵ＨＤＤ６，ＣＤ−ＲＯＭドライブ７が配置されている例を示したが、これに限定されず、ＣＤ−ＲＷドライブ，ＤＶＤドライブ等あらゆるドライブを配置することができる。
【００５３】
また、上述の実施例においては、クロスレール１にＦＤＤ２又はＨＤＤ３を収納するとしたが、これに限定されず、ＣＤ−ＲＯＭドライブ７，ＣＤ−ＲＷドライブ，ＤＶＤドライブなどあらゆるドライブを収納することができる。
【００５４】
また、上述の実施例においては、第１の架台８，第２の架台９を用いたが、これに限定されず、多数の架台を用いることができる。
【００５５】
また、上述した実施例においては、ＦＤＤ２とＨＤＤ３とに共通して使用できるＦＤＤ／ＨＤＤ共通ブラケット４を用いたが、これに限定されず、レール幅に合致した足を有するブラケットであるならば、ＦＤＤ，ＨＤＤそれぞれに専用のブラケットを用いることができる。
【００５６】
また、上述した実施例においては、クロスレール１は、直交する２本のレールを用いたが、これに限定されず、複数のレールを一方向に敷設し、他方は単一のレールを敷設したり、複数のレールを両方向に敷設したりすることもできる。
【００５７】
【発明の効果】
以上説明したように、この発明の構成によれば、ＦＤＤ／ＨＤＤを交換可能に収納でき、かつ、フロントアクセス又はサイドアクセスのいずれにも対処でき、コンパクトなパーソナルコンピュータ本体に高密度にかつ自由度の高い収納構造を提供できる。
また、この発明の構成によれば、クロスレールにＨＤＤを収納した場合についても、フラットケーブルが空気の流れを妨げない構造を実現することができる。
【図面の簡単な説明】
【図１】  この発明の第１実施例である記録媒体駆動装置収納構造の構成を示す斜視図である。
【図２】  この発明の第１実施例である記録媒体駆動装置収納構造のクロスレールの構成を示す平面図である。
【図３】  この発明の第１実施例である記録媒体駆動装置収納構造のクロスレールとドライブブラケットとの収納前の位置関係を示す概略図である。
【図４】  この発明の第１実施例である記録媒体駆動装置収納構造に係るクロスレールとドライブブラケットとの収納時の位置関係を示す概略図である。
【図５】  この発明の第１実施例である記録媒体駆動装置収納構造に係るフラットケーブルの位置関係を示す図である。（ａ）は平面図、（ｂ）は断面図である。
【図６】  この発明の第１実施例である記録媒体駆動装置収納構造に係るフラットケーブルの位置関係を示す図である。（ａ）は平面図、（ｂ）は断面図である。
【図７】  この発明の第２実施例である記録媒体駆動装置収納構造の構成を示す斜視図である。
【図８】  この発明の第２実施例である記録媒体駆動装置収納構造に係るフラットケーブルの位置関係を示す図である。（ａ）は平面図、（ｂ）は断面図である。
【図９】  この発明の第２実施例である記録媒体駆動装置収納構造に係るフラットケーブルの位置関係を示す図である。（ａ）は平面図、（ｂ）は断面図である。
【図１０】  この発明の第３実施例である記録媒体駆動装置収納構造の構成を示す斜視図である。
【図１１】  従来例の記録媒体駆動装置収納構造の構成を示す斜視図である。
【図１】
0003662871.tif 000002
【図２】
0003662871.tif 000003
【図３】
0003662871.tif 000004
【図４】
0003662871.tif 000005
【図５】
0003662871.tif 000006
【図６】
0003662871.tif 000007
【図７】
0003662871.tif 000008
【図８】
0003662871.tif 000009
【図９】
0003662871.tif 000010
【図１０】
0003662871.tif 000011
【図１１】
0003662871.tif 000012